(57)【要約】【課題】開閉可能に設けた上部ユニットを閉じる時に発生する衝撃を緩和し、搬送路内に発生する静電気の蓄積を防ぎ電装部品の誤動作等を防ぐ必要がある。【解決手段】電装部品を備えた第１ユニットが回動可能に取り付けられる第２ユニットと、前記第１ユニットが前記第２ユニットに対して閉じた閉状態において前記第１ユニットと前記第２ユニットとの間に形成されるシート搬送路と、前記第１ユニットを、前記閉状態から開く方向に押圧する弾性部材とを備え、前記弾性部材は導電性部材であり、前記閉状態において、前記弾性部材の一端は前記第１ユニットの導通部に接触し前記弾性部材の他端は前記第２ユニットの導通部と接触していることを特徴とする。【選択図】図１２
2017098714.tif 000002
【特許請求の範囲】
【請求項１】
電装部品を備えた第１ユニットが回動可能に取り付けられる第２ユニットと、
前記第１ユニットが前記第２ユニットに対して閉じた閉状態において前記第１ユニットと前記第２ユニットとの間に形成されるシート搬送路と、
前記第１ユニットを、前記閉状態から開く方向に押圧する弾性部材と
を備え、
前記弾性部材は導電性部材であり、
前記閉状態において、前記弾性部材の一端は前記第１ユニットの導通部に接触し前記弾性部材の他端は前記第２ユニットの導通部と接触していることを特徴とするシート搬送装置。
【請求項２】
前記第１ユニットの前記閉状態を保持するためのロック部材を備え、
前記ロック部材と前記弾性部材は前記第１ユニットの回動半径外周側に設けられるとともに、
前記弾性部材は、前記シート搬送路のシート幅方向に対して前記シート搬送路を挟んだ両側に設けられていることを特徴とする請求項１に記載のシート搬送装置。
【請求項３】
前記弾性部材は前記第１ユニットに設けられていることを特徴とする請求項１または２に記載のシート搬送装置。
【請求項４】
前記弾性部材は、前記第１ユニットが前記第２ユニットに対して開状態にあるときから、前記閉状態となるように前記第１ユニットが閉じられるにつれて、
前記第２ユニットとの接触位置を前記シート搬送路に沿って変位させるように構成されたことを特徴とする請求項１から３のいずれか一つに記載のシート搬送装置。
【発明の詳細な説明】
【技術分野】
【０００１】
本発明は、スキャナ、プリンタ等、原稿等のシート材を搬送する搬送装置に関するものである。
【背景技術】
【０００２】
シートスルー方式の自動原稿送り装置を用いた従来の画像読取装置の一例として、上部ユニットと下部ユニットからなり、その上部ユニットには原稿の一方面を読み取る画像読取ユニットや読み取った画像の表示部、読み取りの開始を指示する各種機能スイッチ、電源スイッチなどが設けられているものがある。また、上部ユニットは、下部ユニットに対してヒンジの開閉手段を軸として原稿を搬送する経路ＲＴを境に開閉可能に構成されており、原稿搬送路面の清掃などユーザーがメンテナンスしやすい構造となっている。
【０００３】
近年、ユーザーの使用用途が多目的化しており、ニーズを反映した装置の多機能化、自動化などと共に画像読取装置の操作性向上が求められている。これに対応するため、電気部品の高密度化や多機能化により装置の至る所に電子部品が備わり、操作性向上を行っている。特に、操作性向上のためには、ユーザーが操作しやすい装置本体の正面などに備わることが多く、装置の上部ユニットに配置されることが多い(特許文献１参照)。
【先行技術文献】
【特許文献】
【０００４】
【特許文献１】特開２０１５−１９８２９９号公報
【発明の概要】
【発明が解決しようとする課題】
【０００５】
画像読取装置で画像を読み取る原稿は、一般のＯＡ紙のみならず伝票など非常に薄手のものや紙粉を多く含んだ原稿やプラスチックカードなど多種多様になってきている。原稿から落ちるゴミや装置本体内の汚れを清掃するため、ユーザーは、今まで以上に装置のメンテナンスを行う機会が増えている。このため、原稿搬送路を境に開閉可能に構成されている画像読取装置では上部ユニットを開閉する回数も増えている。
【０００６】
一方で、作業性向上、業務効率向上のため、画像読取装置の高速化が進んでいる。高速化の手段として装置内部のＣＰＵ等の処理速度の他に、原稿を搬送する搬送速度も高速化しており、処理枚数の増加に伴い原稿搬送時に発生する静電気の量も増えてきている。静電気が発生することで画像読取ユニットへの放電、その他の電子部品への放電により発生するノイズ等で異常画像や誤動作が発生する可能性が増えており、これを防ぐために除電ブラシやアース用の板金などを設けて静電気の電荷がある程度以上蓄積する前に、定常的に電荷を逃すため搬送路内の部品をアース(接地)している。
【０００７】
そこで、本発明は、開閉可能に設けた第１ユニットを閉じる時に発生する衝撃を緩和し電装部品等を破損から保護すると共に、搬送路内に発生する静電気の蓄積を防ぎ、電装部品の誤動作などの異常を回避する技術を提供する。
【課題を解決するための手段】
【０００８】
本発明に係るシート搬送装置によれば、
電装部品を備えた第１ユニットが回動可能に取り付けられる第２ユニットと、
前記第１ユニットが前記第２ユニットに対して閉じた閉状態において前記第１ユニットと前記第２ユニットとの間に形成されるシート搬送路と、
前記第１ユニットを、前記閉状態から開く方向に押圧する弾性部材と
を備え、
前記弾性部材は導電性部材であり、
前記閉状態において、前記弾性部材の一端は前記第１ユニットの導通部に接触し前記弾性部材の他端は前記第２ユニットの導通部と接触していることを特徴とする。
【発明の効果】
【０００９】
本発明によれば、開閉可能な上部ユニットを閉じる際に、上部ユニットに与えられるダメージを軽減できる。また、弾性部材を導電性の材料とし弾性部材が当接する面を導電部材とすることで、上部ユニットが閉じた状態のアースのための接触信頼性を向上し、上部ユニットへの衝撃緩和とアース接続との両方の信頼性を向上できる。
【図面の簡単な説明】
【００１０】
【図１】本発明の一実施形態に係る画像読取装置の概略図。
【図２】図１の画像読取装置の制御ユニットのブロック図。
【図３】本発明の一実施形態に係る画像読取装置の正面図。
【図４】本発明の一実施形態に係る画像読取装置の他の上面図。
【図５】本発明の一実施形態に係る画像読取装置の概略断面図。
【図６】本発明の一実施形態に係る画像読取装置の他の概略断面図。
【図７】本発明の一実施形態に係る画像読取装置給紙部近傍の拡大図である。
【図８】本発明の一実施形態に係るロック部略図。
【図９】本発明の一実施形態に係る画像読取装置の搬送路ＲＴ側から見た上部ユニットの正面図。
【図１０】本発明の一実施形態に係る画像読取装置の主要部拡大図。
【図１１】本発明の一実施形態に係る画像読取装置の搬送路ＲＴ側から見た下部ユニットの正面図。
【図１２】本発明の一実施形態に係る画像読取装置の電気的な接続の状態を示す断面図。
【図１３】本発明の他の実施形態に係る画像読取装置の電気的な接続の状態を示す断面図。
【発明を実施するための形態】
【００１１】
＜第一の実施形態＞
図１は本発明の一実施形態に係る画像読取装置Ａの概略図である。
＜装置の構成＞
画像読取装置Ａは、載置台１に積載された一又は複数の搬送媒体Ｓを１つずつ装置内に経路ＲＴにて搬送してその画像を読み取り、排出トレイ２に排出する装置である。読み取る搬送媒体Ｓは、例えば、ＯＡ紙、チェック、小切手、名刺、カード類等のシートであり、厚手のシートであっても、薄手のシートであってもよい。カード類は、例えば、保険証、免許証、クレジットカード等を挙げることができる。
＜給紙＞
経路ＲＴに沿って搬送媒体Ｓを給送する給送機構としての第１搬送部１０が設けられている。第１搬送部１０は本実施形態の場合、送りローラ１１と、送りローラ１１に対向配置される分離ローラ１２と、を備え、載置台１上の搬送媒体Ｓを搬送方向Ｄ１に一つずつ順次搬送する。また、第１搬送部１０には上部搬送ガイド１３と下部搬送ガイド１４が設けられ、上部搬送ガイド１３と下部搬送ガイド１４は、経路ＲＴを挟んで対抗する位置に配置されており後述する第２搬送部２０に搬送媒体Ｓを導くガイドとなっている。
【００１２】
送りローラ１１には、モータ等の駆動部３から伝達部５を介して駆動力が伝達され、図中矢印方向（経路ＲＴに沿って搬送媒体Ｓを搬送させる正方向）に回転駆動される。伝達部５は例えば電磁クラッチであり、駆動部３からの送りローラ１１への駆動力を断続する。
＜駆動部＞
駆動部３、４と送りローラ１１とを接続する伝達部５は、例えば、本実施形態では、通常時において駆動力が伝達される状態とし、搬送媒体Ｓの逆送の場合に駆動力を遮断する。送りローラ１１は伝達部５により駆動力の伝達が遮断されると、自由回転可能な状態となる。なお、このような伝達部５は、送りローラ１１を一方向のみに駆動させる場合には設けなくてもよい。
＜分離構造＞
送りローラ１１に対向配置される分離ローラ１２は、搬送媒体Ｓを１枚ずつ分離するためのローラであり、送りローラ１１に対して一定圧で圧接している。この圧接状態を確保するため、分離ローラ１２は揺動可能に設けると共に送りローラ１１へ付勢されるように構成される。分離ローラ１２は、トルクリミッタ１２ａを介して駆動部３から駆動力が伝達され、実線矢印方向（送りローラ１１の正方向とは逆方向））に回転駆動される。
【００１３】
分離ローラ１２はトルクリミッタ１２ａにより駆動力伝達が規制されるため、送りローラ１１と当接している際は送りローラ１１に連れ回りする方向（破線矢印方向）に回転する。これにより、複数の搬送媒体Ｓが送りローラ１１と分離ローラ１２との圧接部に搬送されてきた際には、一つを残して２つ以上の搬送媒体Ｓが下流に搬送されないようにせき止められる。
【００１４】
なお、本実施形態では分離ローラ１２と送りローラ１１とで分離機構を構成したが、このような分離機構は必ずしも設けなくてもよく、経路ＲＴに搬送媒体Ｓを１つずつ順次給送する給送機構であればよい。また、分離機構を設ける場合においては、分離ローラ１２のような構成の代わりに、搬送媒体Ｓに摩擦力を付与する分離パッドを送りローラ１１に圧接させて、同様の分離作業を持たせるようにしてもよい。
＜搬送構造＞
第１搬送部１０の搬送方向下流側にある搬送機構としての第２搬送部２０は、駆動ローラ２１と、駆動ローラ２１に従動する従動ローラ２２とを備え、第１搬送部１０から搬送されてきた搬送媒体Ｓをその下流側へ搬送する。駆動ローラ２１にはモータ等の駆動部４から駆動力が伝達され、図中矢印方向に回転駆動される。従動ローラ２２は駆動ローラ２１に対して一定圧で圧接し、駆動ローラ２１に連れ回る。この従動ローラ２２は、バネ等の付勢ユニット（不図示）によって駆動ローラ２１に対して付勢された構成としてもよい。
【００１５】
このような第２搬送部２０よりも搬送方向下流側にある第３搬送部３０は、駆動ローラ３１と、駆動ローラ３１に従動する従動ローラ３２とを備え、第２搬送部２０から搬送されてきた搬送媒体Ｓを排出トレイ２へ搬送する。つまり、この第３搬送部３０は排出機構として機能する。駆動ローラ３１にはモータ等の駆動部４から駆動力が伝達され、図中矢印方向に回転駆動される。従動ローラ３２は駆動ローラ３１に対して一定圧で圧接し、駆動ローラ３１に連れまわる。この従動ローラ３２は、バネ等の付勢ユニット（不図示）によって駆動ローラ３１に対して付勢された構成としてもよい。
【００１６】
排出トレイ２は、画像読取装置Ａに対して回動可能なように、画像読取装置Ａの下方に設けられた第１ヒンジ６を介して軸支されている。また、第１ヒンジ６側の第１排出トレイ２ａとその先端側に接続された第２排出トレイ２ｂとから構成されており、第２排出トレイ２ｂは第１排出トレイ２ａに対して回動可能に軸支されている。
＜画像読取構造、制御＞
ここで、本実施形態の画像読取装置Ａでは、第２搬送部２０と第３搬送部３０との間に配置される画像読取ユニット７０によって画像の読み取りを行うため、第２搬送部２０及び第３搬送部３０は搬送媒体Ｓを定速搬送する。搬送速度は常に第１搬送部１０の搬送速度以上とすることで、先行搬送媒体Ｓに後続搬送媒体Ｓが追いついてしまう事態を確実に回避できる。例えば、本実施形態では、第２搬送部２０及び第３搬送部３０による搬送媒体Ｓの搬送速度を、第１搬送部１０による搬送媒体Ｓの搬送速度よりも速くなるように速度制御するようにした。
【００１７】
なお、第２搬送部２０及び第３搬送部３０による搬送媒体Ｓの搬送速度と、第１搬送部１０による搬送媒体Ｓの搬送速度とを同一条件とした場合でも、駆動部３を制御して後続搬送媒体Ｓの給送開始タイミングを間欠的にずらすことにより先行搬送媒体Ｓと後続搬送媒体Ｓとの間に最低限の間隔を形成することも可能である。
＜重送検出＞
第１搬送部１０と第２搬送部２０との間に配置される重送検出センサ４０は、静電気等で紙などの搬送媒体Ｓ同士が密着し、第１搬送部１０を通過してきた場合（つまり重なって搬送される重送状態の場合）に、これを検出するための検出センサ（シートの挙動や状態を検出するセンサ）の一例である。重送検出センサ４０としては、種々のものが利用可能であるが本実施形態の場合には超音波センサであり、超音波の発信部４１とその受信部４２とを備え、紙等の搬送媒体Ｓが重送されている場合と１つずつ搬送されている場合とで、搬送媒体Ｓを通過する超音波の減衰量が異なることを原理として重送を検出する。
＜レジストセンサ＞
このような重送検出センサ４０よりも搬送方向下流側に配置される媒体検出センサ５０は第２搬送部２０よりも上流側で、第１搬送部１０よりも下流側に配置された上流側の検出センサ（シートの挙動や状態を検出するセンサ）としての一例であり、第１搬送部１０により搬送される搬送媒体Ｓの位置、詳細には、媒体検出センサ５０の検出位置に搬送媒体Ｓの端部が到達又は通過したか否かを検出する。媒体検出センサ５０としては、種々のものが利用可能であるが、本実施形態の場合には光学センサであり、発光部５１とその受光部５２とを備え、搬送媒体Ｓの到達又は通過により受光強度（受光量）が変化すること
を原理として搬送媒体Ｓを検出する。
【００１８】
本実施形態の場合、搬送媒体Ｓの先端が媒体検出センサ５０で検出されると、搬送媒体Ｓが重送検出センサ４０により重送を検出可能な位置に到達しているように、上記の媒体検出センサ５０は重送検出センサ４０の近傍においてその下流側に設けられている。なお、この媒体検出センサ５０は、上記の光学センサに限定されず、例えば、搬送媒体Ｓの端部が検知できるセンサ（イメージセンサ等）を用いてもよいし、経路ＲＴに突出したレバー型のセンサでもよい。
【００１９】
媒体検出センサ５０とは別の媒体検出センサ６０が画像読取ユニット７０よりも上流側に配置されている。第２搬送部２０よりも下流側に配置された下流側の検出センサとしての一例であり、第２搬送部２０により搬送される搬送媒体Ｓの位置を検出する。媒体検出センサ６０としては、種々のものが利用可能であるが、本実施形態の場合、媒体検出センサ５０と同様に光センサであり、発光部６１と受光部６２とを備え、搬送媒体Ｓの到達又は通過により受光強度（受光量）が変化することを原理として搬送媒体Ｓを検出する。なお、本実施形態では、第２搬送部２０の搬送方向上流側と下流側のそれぞれに媒体検出センサ５０、６０を配置したが、媒体検出センサ６０だけでもよい。
＜ＣＩＳの配置＞
媒体検出センサ６０よりも下流側にある画像読取ユニット７０は、例えば、光学的に走査し、電気信号に変換して画像データとして読み取るものであり、内部にＬＥＤ等の光源、イメージセンサ、レンズアレー等を備えている。本実施形態の場合、画像読取ユニット７０は経路ＲＴの両側に一つずつ配置されており、搬送媒体Ｓの表裏面を読み取る。しかし、経路ＲＴの片側にのみ一つ配置して、搬送媒体Ｓの片面のみを読み取る構成としてもよい。
【００２０】
また、本実施形態では、画像読取ユニット７０を経路ＲＴの両側に対向配置した構造としているが、例えば、経路ＲＴの方向に間隔をあけて配置してもよい。
【００２１】
また、２つの画像読取ユニット７０のうち少なくとも一方を搬送媒体Ｓの厚み方向に移動可能に支持した構成であってもよい。例えば、一方の画像読取ユニット７０は後述する下部ユニット１０４に固定し、もう一方の画像読取ユニットは後述する上部ユニット１０３の中で、搬送面に対して垂直な方向に移動可能に支持し、バネ等で付勢し対向の画像読取ユニット７０に突き当てる。この構成にすることで、原稿が通過するとき上部ユニット１０３側の画像読取ユニット７０が原稿の厚さに応じて移動するので、薄紙から厚紙までの画像読取が可能になる。
＜ブロック図の説明＞
図２を参照して制御部８０について説明する。図２は画像読取装置Ａの制御部８のブロック図である。
【００２２】
制御部８０はＣＰＵ８１、記憶部８２、操作部８３、通信部８４及びインターフェース部８５を備える。ＣＰＵ８１は記憶部８２に記憶されたプログラムを実行することにより、画像読取装置Ａ全体の制御を行う。記憶部８２は例えばＲＡＭ、ＲＯＭ等から構成される。操作部８３は、例えば、スイッチやタッチパネル等で構成され、操作者からの操作を受け付ける。
【００２３】
通信部８４は、外部装置との情報通信を行うインターフェースである。外部装置としてＰＣ（パソコン）を想定した場合、通信部８４としては、例えば、ＵＳＢインターフェースやＳＣＳＩインターフェース、ＬＡＮを挙げることができる。また、このような有線通信のインターフェースの他、通信部８４は無線通信のインターフェースとしてもよく、有線通信、無線通信の双方のインターフェースを備えていてもよい。
【００２４】
インターフェース部８５はアクチュエータ８６やセンサ８７とのデータの入出力を行うＩ／Ｏインターフェースである。アクチュエータ８６には、駆動部３、駆動部４、伝達部５等が含まれる。センサ８７には、重送検出センサ４０、媒体検出センサ５０及び６０、画像読取ユニット７０等が含まれる。
＜ＰＣからの開始指示受信による駆動＞
画像読取装置Ａの基本的な動作について説明する。制御部８０は、画像読取装置に備わった、表示パネル９０、タッチパネルまたはキースイッチ１２２などの操作画面から画像読み取りの開始指示を受信すると、第１乃至第３搬送部０１１０乃至０１３０の駆動を開始する。載置台１に積載された搬送媒体Ｓはその最も下に位置する搬送媒体Ｓから１つずつ搬送される。
【００２５】
＜重送時の制御＞
搬送の途中で搬送媒体Ｓは重送検出センサ４０により重送の有無が判定され、重送が無いと判定されると搬送が継続される。なお、重送があると判定された場合には、搬送を停止するか、第１搬送部１０による後続搬送媒体Ｓの取り込みを停止して、重送状態にある搬送媒体Ｓをそのまま排出するようにしてもよい。
＜レジストセンサの出力に応じた読取開始＞
制御部８０は、媒体検出センサ６０の検出結果に基づくタイミングで、第２搬送部２０により搬送されてきた搬送媒体Ｓの、画像読取ユニット７０、７０による画像の読み取りを開始し、読み取った画像を一次記憶して順次外部パソコンへ送信する。画像が読み取られた搬送媒体Ｓは第３搬送部３０により排出トレイ２に排出されてその搬送媒体Ｓの画像読取処理が終了する。
＜排紙構造＞
図３は本発明の一実施形態に係る画像読取装置Ａの排出トレイ２を展開した状態の正面図である。
【００２６】
正面上部の表示パネル９０には表示画面９３が設けられ、隣接した位置に操作キー１２２が設けられている。
【００２７】
正面下部の下部パネル９１には排出開口９２が設けられており、第３搬送部３０によって搬送された搬送媒体Ｓが排出される。
＜給送構造詳細＞
図４は本発明の一実施形態に係る画像読取装置Ａの排出トレイ２を収納した状態における上面図である。
【００２８】
給送トレイ１０には、配置される搬送媒体Ｓの大きさに合わせて搬送方向に対して直交する方向にスライド可能に取り付けられた規制部材１１が設けられている。
＜上部ユニット詳細＞
図５は本発明の一実施形態に係る画像読取装置Ａの概略断面図である。
【００２９】
本体１００は、上部ユニット１０３と下部ユニット１０４とから構成され、上部ユニット１０３は下部ユニット１０４に対し、本体ヒンジ１０５を支点として回動可能に取り付けられている。
【００３０】
上部ユニット１０３は、表示パネル９０に最大搬送路幅Ｗｍａｘを超える幅の表示画面９３及び表示画面９３の支持フレーム板金を備えているため、図６に示すように上部ユニット１０３を展開した状態における重心は、図１に示すような上部ユニット１０３を閉じた状態よりも搬送方向前方側に大きくずれることになる。
【００３１】
したがって、上部ユニットを展開する際に勢いがあると画像読取装置Ａが転倒してしまう虞があるが、本実施形態に係る画像読取装置Ａにおいては、突出部１３０を有することにより、上部ユニット１０３の展開に伴う重心移動が起こっても画像読取装置Ａの転倒を防ぐことができる。突出部１３０の突出量は、図５のような上部ユニット１０３の閉状態及び排出トレイ２の収納状態においては、排出トレイ２の下方に収まるような突出量であって、図６のような上部ユニット１０３の展開状態においては、上部ユニット１０３の重心よりも搬送方向前方まで位置するような突出量となっている。これにより、上部ユニット１０３の展開による画像読取装置Ａの転倒を防止しつつ、排出トレイ２を収納した状態においては必要以上に突出させず、ユーザーの邪魔にならないようにすることができる。
＜上部ユニットのアース＞
図７は本発明の一実施形態に係る画像読取装置Ａの上部ユニット１０３が下部ユニット１０４に対して閉じられた状態における、給紙部近傍の拡大図である。
【００３２】
上部ユニット１０３を閉じる際に勢いよく回動させると、上部ユニット１０３が下部ユニット１０４側に接触する際に大きな衝撃が加わり、大きな音が発生してしまうなどすることがある。本実施形態に係る画像読取装置Ａにおいては、上部ユニット１０３を閉状態で保持するロック部材２０１とロック部材２０１の近傍に導電性の上部弾性部材１４０が設けられている。上記ロック部材２０１は、図８に示すように下部ユニット１０４に備わったフック部２０２と係り合うフック爪２０３を備え、引っ張りばね２０４によって前記フック爪２０３がフック部２０２に係合する方向（矢印ａ方向）に力を受けており、フック部２０２とフック爪２０３が掛り合うことで上部ユニット１０３が閉状態を維持している。ロック部材２０１の操作アーム２０５を矢印ｂ方向に動かすことで、フック部２０２からフック爪２０３が外れ、上部ユニット１０３が本体ヒンジ１０５を支点として開方向に回動することが可能になる。上部弾性部材１４０は、例えばトーションバネのような線バネを用いており、上部ユニット１０３を矢印ｃ方向に押し上げる十分な力を備えている。
【００３３】
上部ユニット１０３が閉状態となる際には、上部弾性部材１４０が下部ユニット１０４側に設けられた接点部１４１に弾性付勢されながら、閉じられる。
【００３４】
接点部１４１の一部には傾斜が設けられ、上部ユニット１０３が閉状態の時には、上部弾性部材１４０が傾斜部にかかり、フック部２０２とフック爪２０３の掛りが外れたときに上部ユニット１０３を押し上げやすくなっている。
【００３５】
ここで、上部弾性部材１４０の付勢前の状態を点線で示し、付勢後の状態を実線で示す。すなわち、距離ｅが上部弾性部材の変位量(たわみ量)となる。一方、フック部２０２とフック爪２０３との掛かり量は、ｆとなる。前記たわみ量と掛かり量の関係は、ｅ＞ｆであり掛かりが外れたときには、上部ユニット１０３を距離ｅだけ押し上げることが可能となる。
【００３６】
上部弾性部材１４０の上部ユニット１０３に取り付けられる側の端部は、上部ユニット１０３内に設けられた電装部品のグランド側と導通しており、上部弾性部材１４０が接点部１４１に接触することによって下部ユニット内に配置された電装部品のグランド側に導通される。したがって、上部ユニット１０３の閉状態において、上部弾性部材１４０を介してアースを取ることができる。
【００３７】
また、上述のように、接点部１４１の一部に傾斜１４１ａが設けられており、上部ユニット１０３が閉じ状態となる直前に傾斜１４１ａと上部弾性部材１４０が接触するように構成されている。これによって、上部弾性部材１４０と接点部１４１の接点は、くの字状に折れ曲がった頂部Ｐで接点部１４１と接触する本実施形態のような形状においては、頂部Ｐで接触するよりも直線部分で接点部１４１の傾斜１４１ａに接触させることができ、接触面積を増やすことができる。
【００３８】
図９に本発明の一実施形態に係る画像読取装置Ａの上部ユニット１０３の搬送路ＲＴ側から見た正面図を示す。
【００３９】
前記上部弾性部材１４０は、前記ロック部材１５０と共に原稿搬送面の原稿搬送路外に配置されると共に原稿搬送路を挟んで搬送方向に対して垂直方向であって、かつ両側に位置する。これにより、上部ユニット１０３を勢いよく閉じた際にも上部ユニット１０３両側で弾性部材が均等にたわんで、１上部ユニット０３に瞬間的なねじれなど変形が発生するのを防止するとともに、衝撃が上部弾性部材１４０により緩和されることで内部にある電装部品の保護を行うことが出来る。特に上部ユニット１０３に前述したように表示パネル９０上の表示画面９３や隣接した位置に操作キー１２２などを備えた場合には、上部ユニットの１０３の重量が重くなるばかりでなく衝撃に弱い部品が多いため電装部品にかかる衝撃緩和を行うことは特に有効となる。
【００４０】
前記上部弾性部材１４０は、本体ヒンジ１０５から離れたロック部材１５０近傍に配置することで、付勢時の荷重のばらつきが少なくなり、左右均等に衝撃の緩和が可能となる。
【００４１】
図１０は、本発明の一実施形態に係る画像読取装置Ａの装置断面図において上部弾性部材１４０の電気的な接続の状態を示す図である。
【００４２】
上部弾性部材１４０の一端は、上部ユニット１０３の搬送路として備わった導電性の上部搬送ガイド１３(例えば、金属鋼板)に接触している。前記上部搬送ガイド１３は、後述する画像読取ユニット７０を覆う上部金属製部材７４と電気的に接続されており、下部ユニット１０４側に設けられた接点部１４１とも上部弾性部材１４０を介して電気的に接続されている。
【００４３】
図１１に本発明の一実施形態に係る画像読取装置Ａの下部ユニット１０４の搬送路ＲＴ側から見た正面図を示す。
【００４４】
搬送路を形成する導電性の下部搬送ガイド１４(例えば、金属鋼板)の一部が接点部１４１となっている。接点１４１は、搬送媒体Ｓの搬送可能範囲より外側に位置し、前記ロック部材も同様に搬送媒体Ｓの搬送可能範囲より外側にある。
【００４５】
本発明の一実施形態に係る画像読取装置Ａでは、搬送媒体Ｓの搬送により発生する静電気が前記上部搬送ガイド１３と下部搬送ガイド１４に流れ上部搬送ガイド１３へ流れた電荷は上部弾性部材１４０により下部搬送ガイド１４に導通している。さらに、上部弾性部材１４０が搬送方向に対して垂直方向に搬送路ＲＴを挟んだ両側に配置され、接点部１４１と接触するようにすることで、静電気による電荷の移動が一方向に片寄ることがなくなるため、電荷の移動により発生する電磁波の変化が原因で前記画像読取ユニット７０の信号にノイズが入り、誤動作することを防ぐことも可能となる。但し、上部弾性部材１４０は、少なくとも搬送路ＲＴの脇の一方側に配置されていればよく、他方側には金属製でない弾性部材を設けていてもよく、もしくは何も設けずに、その分搬送路ＲＴを他方側に寄せることによる小型化を図ることも可能である。
【００４６】
上部弾性部材１４０の付勢力により上部ユニット１０３が押し上げられるが、好ましくは、ユーザーの指が押し上げられたスペースに入り込む程度にすることが好適である。その場合、弾性部材１４０の変位量としてある程度必要となり、それに伴って接点部１４１としても搬送方向Ｄ１と平行な方向にある程度の長さを確保する必要がある。本実施形態においては、搬送路の両脇の、幅方向としては狭い領域ではありながら、搬送方向Ｄ１方向にはある程度の領域を確保できる部分に対して弾性部材１４０を当接させることによって、上部ユニット１０３を所望の高さ浮き上がらせることができると同時に、電気的な接触も行うことで上部ユニット１０３と下部ユニット１０４の導通を取ることができる。さらに、搬送路の両脇に対して電気的な接点を取ることにより、搬送媒体Ｓが静電気により帯電していたとしても、上部ユニット１０３または下部ユニット１０４の両方に対して電気的に静電気が逃げやすい構成とすることができ、下部ユニット１０４内で静電気の処理を行うよりも、装置全体として有効な静電気等への対策を取ることができる。
【００４７】
また、図８からも分かるように、上部ユニット１０３が下部ユニット１０２に対し閉じられる際に、上部弾性部材１４０が接点部１４１との接触位置を変えながら上部ユニット１０３が閉じられ、接点部１４１はその分の領域を確保している。
【００４８】
上部ユニット１０３の回動の接線方向（接点部１４１に垂直な方向）に単にコイルばね等で付勢力を発生させるものでは、接点部１４１側に異物や紙が存在した場合に上部弾性部材１４０と接点部１４１との間に挟まる可能性があり、確実に上部弾性部材１４０を接点部１４１に接触させることが困難なことがある。それに対し、本実施形態における上部弾性部材１４１は、接点部１４１との接触位置を変えながら上部ユニット１０３が閉じられることによって、異物等があってもそれを避けながら接触することができ、より信頼性の高い接触を行うことができるようになっている。
＜ＣＩＳユニットのアース＞
図１２は本発明の一実施形態に係る画像読取装置Ａの装置断面図において電気的な接続の状態を示す図である。
【００４９】
画像読取ユニット７０は、内部にコンタクトイメージセンサ（以下、ＣＩＳ）７１が設けられている。
【００５０】
画像読取ユニット７０は、下部ユニット１０４の収容部７７ａに挿入される際に、下部ユニット１０４側から突出した金属製の下部弾性部材７５を付勢しながら挿入され、収容完了位置において、嵌合固定される。
【００５１】
画像読取ユニット７０の下面は下部金属製部材７６で覆われており、画像読取ユニット内部のＣＩＳ７１などの電装部品が静電気から保護されている。金属製部材７６で下部弾性部材７５を付勢しながら挿入されることで、画像読取ユニット７０は下部ユニット１０４に対しアースされる。
【００５２】
前記画像読取ユニットの７０のもう一方は、搬送面ＲＴを挟んで略対向した位置に配置され、上部ユニット１０３の上部金属製部材７４が備わった収納部７７ｂに移動可能に収納されＣＩＳ７１などの電装部品が静電気から保護されている。前記上部金属製部材７４は、弾性部を有しており、前記上部搬送ガイド１３に前記弾性部を押し当てることで電気的に接続されている。弾性部の代わりに導電性の部材(例えばトーションバネ)などを用いて接続されていても良い。
【００５３】
また、前記上部金属製部材７４は、上部ユニット１０３の下流にある除電ブラシ７９と金属製部材７８を介して電気的に接続されている。除電ブラシ７９は、搬送媒体Ｓ表面に帯電した静電気を除電する。除電された電荷は、金属製部材７８から上部金属製部材７４を通して上部搬送ガイド１３に導通し上部弾性部材１４０を介して下部ユニット１０４のアース部に流れる。
【００５４】
以上より搬送媒体Ｓによって上部側に発生した静電気と搬送媒体Ｓ上に発生した静電気は、除電ブラシ７９から各導電性部材を電気的に接続することで上部弾性部材１４０によって下部ユニット１０４側に導通することが可能となる。
【００５５】
なお、上部搬送ガイド１３、上部金属製部材７４、金属製部材７８は全て同一の部品で成り立っても良い。
【００５６】
また、前記上部金属製部材７４は、導電性部材４０１a、導電性部材４０１bを介して、上部ユニット１０３に備わる表示パネル９０内の電装部品(例えば、表示画面９３や操作キー１２２や各種センサの検知信号を制御する基板など)にも電気的に接続することでアースを取っている。
＜下部ユニットの構成＞
下部ユニット１０４は、上部ユニット１０３の一方を回転可能に取り付けるための本体ヒンジ１０５で接続し、もう一方を上部弾性部材１４０の反力によって開方向に回動するのを防ぐために、上部ユニット１０３に備わったロック部材２０１と掛り合うことで、前記上部ユニット１０３が閉状態を維持できるフック部２０２を備えている。
【００５７】
また、搬送媒体Ｓを搬送するためのアクチュエータ８６、駆動ローラ２１、３１、下部搬送ガイド１４、画像読取ユニット７０の収納部７７、アクチュエータ８６を制御する通信部８４、支持フレーム３０１、制御部８０などを下部ユニット１０４内部に備えている。
【００５８】
下部ユニット１０４に取付けられた下部搬送ガイド１４の上流側の一端は、コイルバネ３０２が付勢しており、下流側の一端は下部弾性部材７５を介して下部金属製部材７６と接続している。コイルバネ３０２は、下部搬送ガイド１４に付勢している側と反対方向を支持フレーム３０１に付勢し、下部金属製部材７６、下部搬送ガイド１４を支持フレーム３０１に電気的に接続している。
【００５９】
以上より、搬送媒体Ｓによって下部側に発生した静電気は、下部金属製部材７６から各電気的接続部を介して支持フレームに導通することが可能となる。
＜第二の実施形態＞
図１３は本発明の第二実施形態に係る画像読取装置Ｂの概略図である。画像読取装置Ｂは、第一の実施形態における下弾性部材５０１が、下部ユニット１０４側に取り付き、接点部５０２が上部ユニット１０３に取り付いた上部搬送ガイド１３の一部に接触したもので他の電気的な接続経路は同じである。
【符号の説明】
【００６０】
Ａ  画像読取装置
Ｓ  搬送媒体
１  載置台
２  排出トレイ
３、４  駆動部
５  伝達部
１０  第１搬送部
１１  送りローラ
１２  分離ローラ
１３  上部搬送ガイド
１４  下部搬送ガイド
２０  第２搬送部
２１  駆動ローラ
２２  従動ローラ
３０  第３搬送部
３１  駆動ローラ
３２  従動ローラ
４０  重送検出センサ
５０、６０  媒体検出センサ
７０  画像読取ユニット
７１  コンタクトイメージセンサ（ＣＩＳ）
７４  上部金属製部材
７５  下部弾性部材
７６  下部金蔵製部材
７７  収納部
７８  金属製部材
７９  除電ブラシ
８０  制御部
８４  通信部
９０  表示パネル
９１  下部パネル
９３  表示画面
１００  本体
１０１  第１ヒンジ
１０２  第２ヒンジ
１０３  上部ユニット
１０４  下部ユニット
１０５  本体ヒンジ
１１０  給送トレイ
１１１  規制部材
１２２  操作キー
１４０  上部弾性部材
１４１  接点部
２０１  ロック部材
２０２  フック部
２０３  フック爪
２０４  引っ張りバネ
２０５  操作アーム
３０１  支持フレーム
３０２  コイルバネ
４０１ａ  導電部材１
４０１ｂ  導電部材２
５０１  弾性部材下
５０２  接点部
【図１】
2017098714.tif 000003
【図２】
2017098714.tif 000004
【図３】
2017098714.tif 000005
【図４】
2017098714.tif 000006
【図５】
2017098714.tif 000007
【図６】
2017098714.tif 000008
【図７】
2017098714.tif 000009
【図８】
2017098714.tif 000010
【図９】
2017098714.tif 000011
【図１０】
2017098714.tif 000012
【図１１】
2017098714.tif 000013
【図１２】
2017098714.tif 000014
【図１３】
2017098714.tif 000015